(57)【要約】データの送信に対し複数の資源ユニットを提供する通信システムで、制御情報を第１のノードから第２のノードへ送信する方法に、この発明は関係する。１つの資源ユニットを通したデータ送信に関係する制御情報を識別する少なくとも１つのコードワードを含むコードブックの利用によって、制御情報は送信される。コードブック情報の更新されたバージョンを第１のノードから第２のノードへ繰り返し送信することによって、コードブックは動的に更新される。この発明はまた、制御情報を第２のノードへ送信するための手段を含む第１の通信ノードに関係する。コードブックの使用によって制御情報を送信することと、コードブックが動的であることを達成するために、コードブック情報の更新されたバージョンを繰り返し送信することとに、制御情報を送信するこの手段は適合される。【選択図】図６
2009508453.tif 000002
【特許請求の範囲】
【請求項１】
データの送信に対し複数の資源ユニット（２０５）を提供する通信システム（１００）において制御情報（４１２、４１５）を第１のノード（１１０；１０５）から第２のノード（１０５；１１０）へ送信する方法であり、その場合、
前記制御情報はコードブック（４００）の使用によって送信され、
前記コードブックは、資源ユニットを通したデータ送信に関係する制御情報を識別する少なくとも１つのコードワードを含み、
前記コードブックは、コードブック情報（４００、５２０）の更新されたバージョンを前記第１のノードから前記第２のノードへ繰り返し送信することによって、動的に更新される。
【請求項２】
前記コードブック（４００）を作成する（３４０）ことと、
割り当てられるコードワードが割り当てられる前記資源ユニットに、前記割り当てられるコードワードによって識別される前記制御情報が適用することによって、前記コードワードを少なくとも１つの資源ユニットに割り当てる（３２０、３２５）ことと、
少なくとも１つの割り当てられるコードワードを含む資源ユニット使用法情報（４０５）を作成する（３４５）ことと、その場合、前記資源ユニット使用法情報は、前記割り当てられるコードワードが割り当てられている少なくとも１つの資源ユニットを示し、
前記コードブック情報（４００、５２０）を前記第２のノードへ送信することと、
前記資源ユニット使用法情報を前記第２のノードへ送信することと
を含む前記方法であって、
前記コードブックは、コードブックを作成することとコードブック情報を送信することとのステップを繰り返し行うことによって、動的に更新される、
請求項１の方法。
【請求項３】
前記コードブック及び／または前記資源ユニット使用法情報が、コードワードが割り当てられている資源ユニットの数を示すランレングス情報（４１７、５５０）を含むため、コードワードが割り当てられている資源ユニットの数よりも、資源ユニット使用法情報内のコードワードの数が少なくなっても良い、
請求項１または２の方法。
【請求項４】
資源ユニットがタイムフレーム（２００）の部分であり、
コードブックを作成することとコードブック情報を送信することとの前記ステップは第ｎのタイムフレーム毎に繰り返される、
請求項１〜３のいずれか１つの方法。
【請求項５】
前記制御情報は、資源ユニットが割り当てられるであろうセッションのアイデンティティ（４１２）を含む、請求項１〜４のいずれか１つの方法。
【請求項６】
前記制御情報は、資源ユニットへ適用されるための送信フォーマット（４１２）を含む、請求項１〜５のいずれか１つの方法。
【請求項７】
資源ユニットへ適用可能な前記制御情報は、資源ユニットが割り当てられるであろうセッションのアイデンティティと、前記資源ユニットへ適用されるための送信フォーマットとを含み、
前記コードブック情報は、少なくとも２つの資源ユニットが割り当てられ、異なる送信フォーマットが使用されるであろうセッションを識別するセッションアイデンティティフィールド（５３５）を含み、
前記セッションアイデンティティフィールドは、少なくとも２つの資源ユニットの前記送信フォーマットと関連づけられる、
請求項１〜６のいずれか１つの方法。
【請求項８】
前記コードブック情報は、前記第２のノードに記憶される制御情報への参照（５４０、５４５）を含む、請求項１〜７のいずれか１つの方法。
【請求項９】
コンピュータ手段（１２５）で実行されるとき、請求項１〜８のいずれか１つの前記方法を実行できるコンピュータ符号
を含むコンピュータプログラム製品。
【請求項１０】
データ送信ための複数の資源ユニット（２０５）を提供する通信システム内の、第２の通信ノード（１０５；１１０）と通信するための第１の通信ノード（１１０；１０５）であって、前記第１のノードは制御情報（１２５）を前記第２のノードへ送信するための手段を含み、その場合、
制御情報を送信するための前記手段（１２５）は、資源ユニットを通したデータ送信に関係する制御情報（４１２、４１５）を識別する少なくとも１つの符号を含むコードブック（４００）の使用によって、前記制御情報を送信することに適合され、
送信するための前記手段は、前記コードブックが動的であることを達成するために、コードブック情報（４００、５２０）の更新されたバージョンを繰り返し送信することに適合される。
【請求項１１】
前記コードブック（４００）を作成するための手段（１２５）と、
割り当てられるコードワードが割り当てられる前記資源ユニットに、前記割り当てられるコードワードによって識別される前記制御情報が適用することによって、コードワードを少なくとも１つの資源ユニットに割り当てるための手段（１２５）と、
少なくとも１つの割り当てられるコードワードを含む資源ユニット使用法情報（４０５）を作成する（３４５）ための手段（１２５）と、その場合、前記資源ユニット使用法情報は、前記割り当てられるコードワードが割り当てられている少なくとも１つの資源ユニットを示し、
をさらに含む、請求項１０の第１のノードであって、その場合、
送信のための前記手段は、前記コードブック情報と前記資源ユニット使用法情報とを第２のノードへ送信するための手段を含み、
コードブックを作成するための前記手段は、前記コードブックを繰り返し更新するよう設計され、前記コードブック情報を送信する前記手段は、前記コードブックが動的であることを達成するために、更新されたコードブック情報を繰り返し送信するよう設計される。
【請求項１２】
前記第１のノードは無線基地局であり、前記第２のノードは移動局である、
請求項１０または１１の第１のノード。
【請求項１３】
前記無線基地局は、セル内の複数の移動局にサービスする（ｓｅｒｖｅ）よう適合され、
送信のための前記手段は、前記セル内の全部の移動局が同時に聴取できるチャネル上で前記コードブック情報送信することに適合される、
請求項１２の無線基地局。
【請求項１４】
前記無線基地局は、前記無線基地局と前期移動局間の無線接続の品質測定を受信するよう設計され、
前記コードブックを作成するための前記手段は、前記コードブックを作成することによって得られる利得が、前記コードブック情報と前記資源ユニット使用法情報とを送信するコストより大きいことによって、前記品質測定に従って前記コードブックを作成するよう設計される、
請求項１２または１３の無線基地局。
【請求項１５】
請求項１２〜１４のいずれか１つの無線基地局を含む移動無線通信システム（１００）。
【請求項１６】
通信システム（１００）における資源ユニット（２０５）を通したデータの送信に関係する制御情報を受信する方法であって、
資源ユニットへ適用可能な制御情報（４１２、４１５）を識別する少なくとも１つのコードワードを含むコードブック（４００）が再作成されることが可能であるコードブック情報（４００；５２０）を受信することと、
資源ユニットに割り当てられる少なくとも１つのコードワードを含み、前記割り当てられるコードワードが割り当てられている少なくとも１つの資源ユニットを示す、資源ユニット使用法テーブル（４０５）を受信することと、
前記コードブック情報によって前記コードブックを再作成することと、
前記コードブックによって、前記資源ユニット使用法テーブルの前記少なくとも１つの符号によって識別される前記制御情報を識別することと
を含む前記方法。
【請求項１７】
コンピュータ手段（１３０）で実行されるとき、請求項１６の前記方法を実行できるコンピュータ符号
を含むコンピュータプログラム製品。
【請求項１８】
コンピュータ手段が前記コンピュータプログラム符号を実行可能である、請求項１７のコンピュータプログラム製品を含む移動局。
【請求項１９】
前記移動局は、前記コードブックを再作成することに前記コンピュータ符号によって使用可能である制御情報を記憶するよう設計される非揮発性ストレージを含み、前記コンピュータ符号は、前記コンピュータ手段で実行されるときに、前記非揮発性ストレージのコンテンツを引き出すことと、前記コードブックを再作成することに前記コンテンツを使用することとを実行できるコンピュータ符号を含む、請求項１８の移動局。
【発明の詳細な説明】
【技術分野】
【０００１】
本発明は広くデータ通信の分野に関し、特に通信ネットワーク内の２つのノード間の制御情報の送信の分野に関する。
【背景技術】
【０００２】
移動無線通信サービスは、ここ２０年にわたって極めて一般的になってきた。しかし、移動無線資源は乏しく、使用可能な資源を効率的な方法で使用するという大きな必要性がある。
【０００３】
無線資源の活用の効率を増加させる１つの方法は、無線基地局と移動局との間で信号送信される制御情報の量を減少させることである。制御情報の送信に使用される無線資源が減少されると、ペイロードの送信に使用可能である無線資源の量は増加される。
【０００４】
３ＧＰＰ技術仕様書２５．２１３、４．６．２．３項において、多くの拡散符号を移動局に割り当てる方法が開示されている。仕様書によると、１５個の異なる拡散符号が１つまたはそれ以上の移動局への割り当てに使用可能であり、各拡散符号は連続的な番号で識別される。移動局に割り当てられている拡散符号の第１を識別する番号と、割り当てられている拡散符号の数とを信号送信することによって、移動局への拡散符号の割り当ては移動局に信号送信される。ゆえに、もし移動局に割り当てられた拡散符号の数が２個を超えるならば、割り当てを信号送信することが必要とされる無線資源の量は、拡散符号識別が各拡散符号のために送信されなければならない場合よりも少ない。
【発明の開示】
【０００５】
本発明が関する１つの問題は、通信ネットワーク内の送信資源の使用法の効率をどのように増加させるかである。
【０００６】
データの送信に対し複数の資源ユニットを提供する通信システムにおいて第１のノードから第２のノードへ制御情報を送信する方法によって、この問題は対処される。その制御情報は、コードブックの使用によって送信される。このコードブックは、１つの資源ユニットを通したデータ送信に関係する制御情報を識別する少なくとも１つのコードワードを含む。そして、コードブックが再作成されることが可能であるコードブック情報の更新されたバージョンを、第１のノードから第２のノードへ繰り返し送信することによって、このコードブックは動的に更新される。
【０００７】
制御情報の送信にコードブックを使用することによって、制御情報は効率的に圧縮可能であるということが達成される。なぜなら、制御情報全体よりもむしろ、コードワードが送信されることが可能であるからである。制御情報全体がコードワード毎に１度ずつ送信されるとしても、同じコードワードが回数無制限で使用可能であり、制御情報の送信に使用される全帯域幅はゆえに減らされる。コードブックが動的であることを可能にすることによって、アクティブなセッションのための無線条件の変化及び／またはアクティブなセッションの数の変化に、制御情報は適合可能であるということが達成される。ゆえに、高度なリンク適合が行われることが可能となり、帯域幅の使用法における効率の増加が達成される。
【０００８】
この発明の１つの側面において、その方法はコードブックを作成することを含む。割り当てられたコードワードによって識別された制御情報が、その割り当てられたコードワードが割り当てられる資源ユニットに適用するように、そのコードブックは少なくとも１つの資源ユニットにコードワードを割り当てる。少なくとも１つの割り当てられたコードワードを含む資源ユニット使用法情報を、そのコードブックは作成し、その資源ユニット使用法情報は、その割り当てられたコードワードが割り当てられている少なくとも１つの資源ユニットを示す。そのコードブックは、コードブック情報を第２のノードに送信する。そのコードブックは、資源ユニット使用法情報を第２のノードに送信する。コードブックを作成することと、コードブック情報を送信することとのステップを繰り返し行うことによって、このコードブックは動的に更新される。
【０００９】
その資源ユニットに適用されるであろう制御情報と関連しているコードワードに、特定の資源ユニットをリンクさせる情報を、資源ユニット使用法情報は含むということがこの側面によって達成される。言い換えると、資源ユニット使用法情報はコードブックへの参照を含む。異なる資源ユニットに関する資源ユニット使用法情報内において、各コードワードは参照可能であり、ゆえに、コードワードは資源ユニットの数よりも少ない符号を提供できる。それが変更されてしまったとき、コードブック情報は第２のノードに送信されなければならないだけであろうし、資源ユニット使用法情報はより高い頻度で送信されることが可能であり、どのコードワードがどの資源ユニットに適用されるであろうかを示す。
【００１０】
コードワードが割り当てられている資源ユニットの数を示すランレングス情報を、コードブック及び／または資源ユニット使用法情報は好ましくは含んで良いため、資源ユニット使用法情報内のコードワードの数は、コードワードが割り当てられている資源ユニットの数よりも小さくなることが可能となる。
【００１１】
これにより、第１のノードから第２のノードへ送信される必要がある制御情報の量は減らされるということが達成される。
【００１２】
この発明的な方法は、資源ユニットがタイムフレームの部分である通信システムに、有利に適用可能である。このようなシステムにおいては、コードブックを作成することと、コードブック情報を送信することとのステップは、第ｎのタイムフレーム毎に有利に繰り返されることが可能であり、ｎは１、２、３、……等の値をとることができる。
【００１３】
このように、コードブックのダイナミクスは適切な時間スケールをもつことが可能であるということが達成され、コードブック情報の更新されたバージョンをいつ受信するかの予測可能性を、コードブック情報の受信機は獲得できる。資源ユニット使用法情報は、毎タイムフレームで有利に更新されることが可能である。
【００１４】
例えば、資源ユニットが割り当てられるであろうセッションのアイデンティティ及び／または資源ユニットに適用されるであろう送信フォーマットに、コードブックの制御情報は関係することが可能である。少なくとも２つの資源ユニットが割り当てられ、異なる送信フォーマットが使用されるであろうセッションを識別するセッションアイデンティティフィールドを、コードブック情報が含む、この発明の１つの実施形態においては、セッションアイデンティティフィールドは、少なくとも２つの資源ユニットの送信フォーマットと関連する。
【００１５】
これにより、コードブック情報更新毎にセッションアイデンティティは１回送信されなければならないだけであるということが達成される。セッションアイデンティティは多くのビットをしばしば含むから、セッションアイデンティティが送信される回数が減少されるとき、帯域幅の使用法は減らされても良い。
【００１６】
制御ブック情報は、第２のノードに記憶される制御情報の参照を含むことができる。これにより、第１のノードと第２のノード間のインターフェースを通して送信されなければならない情報の量は減らされるということが達成される。
【００１７】
データの送信に対し複数の資源ユニットを提供する通信システムにおいて第２の通信ノードと通信するための第１の通信ノードによっても、この問題はまた対処される。その第１のノードは、制御情報を第２のノードに送信する手段を含む。資源ユニットを通したデータ送信に関係する制御情報を識別する少なくとも１つの符号を含むコードブックの使用によって、制御情報を送信することに、制御情報を送信するその手段は適合される。コードブックは動的であるということを達成するために、コードブックが再作成されることが可能であるコードブック情報の更新されたバージョンを繰り返し送信することに、送信のその手段はさらに適合される。
【００１８】
この発明の１つの実施形態においては、第１の通信ノードは無線基地局であり、第２の通信ノードは移動局である。この実施形態で、セル内の全部の移動局が同時に聴取できるチャネル上でコードブック情報を送信することに、送信のその手段は有利に適合可能である。制御情報の信号送信に使用される資源ユニットは、移動局毎に資源ユニットを使用することよりもむしろ、セル内のいくつかの移動局に関係する制御情報を運ぶことが可能であるということが、これにより達成される。この方法において、セル内における制御情報の信号送信に使用される資源ユニットの数は減少される。
【００１９】
第１の通信ノードが無線基地局である実施形態においては、無線基地局と移動局間の無線接続の品質測定を受信するように、無線基地局は有利に設計可能である。それから、コードブックを作成することによって達成される利得が、コードブック情報と資源ユニット使用法情報とを送信するコストよりも大きいように、品質測定に従ってコードブックを作成するよう、コードブックを作成する手段は設計可能である。
【００２０】
この発明的な無線基地局と、この発明的な方法を実行可能なコンピュータ符号を含むコンピュータプログラム製品と、コードブック情報及び資源ユニット使用法情報の形の制御情報を受信する方法と、制御情報を受信する方法を実行可能なコンピュータ符号を含むコンピュータプログラム製品と、制御情報を受信する方法を実行可能なコンピュータプログラム製品を含む移動局とを含む移動無線通信システムによっても、この問題はまた対処される。
【発明を実施するための最良の形態】
【００２１】
本発明及びその利点をより完全に理解するために、添付図面と関連して、以下の詳細な説明を参照することにする。
【００２２】
無線リンク１１５を通して移動端末１０５が無線基地局１１０と通信するよう示される移動無線通信システム１００を、図１は図式的に示す。無線基地局がある地理的エリアはセルと呼ばれる。無線基地局１１０はコアネットワーク１２０にさらに接続される、言い換えると、他のシステムと同様に、示されていない他の無線基地局に接続される。以下では、移動無線通信システム１００はシステム１００と呼ぶことにする。
【００２３】
移動端末１０５と無線基地局１１０間の距離の変動、例えば移動する車によって引き起こされる無線環境の変化等が例えば原因となり、無線リンク１１５の無線品質は時間とともに変化する。使用可能な無線資源を効率的に使用するために、無線リンク品質の変動は好ましくは、変調スキームやチャネル符号化パラメータのような無線リンクでの無線送信の品質を決定するときの根拠となる。無線リンクの品質は好ましくは監視され、それに従って無線送信の性質は適合される。これはリンク適合と呼ばれる。
【００２４】
無線リンク１１５は、データ送信セッションと同様に、音声電話に典型的に使用される。以下では、データ送信セッションと同様に、電話はセッションと呼ばれる。無線基地局１１０によって支持される異なるセッションは、同じ移動局１０５と無線基地局１１０間または異なる移動局１０５と無線基地局１１０間の通信に関係することが可能である。
【００２５】
特定のセッションに割り当てられる無線資源の量が時間とともに変化するシステム１００においては、無線リンク１１５の品質が高いときは特定のセッションに割り当てられる資源の量がより大きく、無線リンク１１５の品質が低いときにはより小さくなるように、とりわけ、異なるアクティブな移動端末１０５によって使用される異なる無線リンク１１５の品質に、異なるセッションへの無線資源の割り当ては好ましくは基づいても良い。多くの状況において、高い品質の無線リンクで作動するユーザに、より低い品質の無線リンクで作動するユーザより多く使用可能な資源を使用させることは有利である。さらに、無線リンク１１５の瞬間品質は、送信の周波数により変化可能であり、ゆえに、特定のセッションの送信に使用される周波数は、セッションの間、いくつかの瞬間において有利に変更可能である。どのセッションによってどの無線資源が使用されることになるかを決定することは、しばしばスケジューリングと呼ばれる。セッションによって使用される資源のスケジューリングはしばしば、セッションの継続期間に数回行われ、典型的にミリ秒の時間尺度で更新可能である。
【００２６】
以下では、無線基地局１１０と移動端末１０５間の通信に使用可能な無線資源は、複数の無線資源ユニットからなると見なされることができる。無線資源ユニットは、セッションに割り当て可能な最小のユニットであり、リンク適合パラメータが一定でなければならない最大のユニットである。図２においては、資源の内容が示されており、周波数分割多元接続システム（Ｆｒｅｑｕｅｎｃｙ  Ｄｉｖｉｓｉｏｎ  Ｍｕｌｔｉｐｌｅ  Ａｃｃｅｓｓ  ｓｙｓｔｅｍ：ＦＤＭＡ）が例として使用されている。無線リンク１１５のフレーム２００は、継続時間Ｔｆｒａｍｅと周波数範囲Ｆｆｒａｍｅとをもつよう示されている。図２のフレーム２００は複数の無線資源ユニット２０５からなるよう示されており、各無線資源ユニット２０５は、継続時間Ｔｕｎｉｔ＝Ｔｆｒａｍｅと周波数範囲Ｆｕｎｉｔ＝Ｆｆｒａｍｅ／Ｎとをもち、Ｎは図２のタイムフレーム２００の無線資源ユニット２０５の数である。しかし、フレーム２００は、どのような方法でも無線資源ユニット２０５に分割可能である。図２によって提供される例は、周波数分割多元接続に基づくシステム１００におけるフレーム２００が無線資源ユニット２０５へどのように分割されることが可能であるかの例である。多元接続を提供する他の方法に基づくシステム１００においては、無線資源ユニット２０５は他の数量によって決定される。符号分割多元接続に基づくシステム１００においては、例えば、無線資源ユニット２０５は、時間及び符号という数量によって決定される。以下では、説明のみの目的で、この発明は、周波数分割多元接続に従って作動するシステム１００について記述することにする。
【００２７】
使用可能な無線資源の使用法を最適化するために、リンク適合及び／またはスケジューリングは好ましくは動的に行われるべきであり、リンク適合及び／またはスケジューリングが頻繁に更新されればされるほど、資源のスケジューリングと無線チャネルのリンク適合とは、無線リンクの瞬間品質により良く適合されることが可能である。同様に、周波数領域で無線資源の割り当ての粒度が細かくなればなるほど、資源のスケジューリングとリンク適合とは、無線リンクの品質により頻繁に適合されることが可能である。しかし、どの無線資源ユニット１０５が聴取するかと、送信されるデータをどのように解釈するかとを移動端末１０５が知るために、どんなリンク適合と同様、どんなスケジューリングの結果も、関係する移動端末１０５に通信されなければならないであろう。ゆえに、もしリンク適合及び／またはスケジューリングが、時間及び／または周波数領域で高い粒度で行われれば、リンクと資源割り当てとを無線リンクの品質に適合することによって得られる効率は、システム１００における増加した信号送信負荷が原因で、失われる場合がある。ゆえに、信号送信負荷を低く保つために、送信フォーマット情報とスケジューリング情報とのような制御情報を移動端末１０５に信号送信する効率的な方法が必要である。
【００２８】
この発明に従うと、制御情報の信号送信は、コードブックと資源ユニット使用法情報との使用法に基づく。コードブックはコードワードを含み、コードワードは、無線資源ユニット２０５に適用されることが可能である制御情報を識別する。コードワードはコードブックのインデックスとして使用される。資源ユニット使用法情報は、どのコードワードが異なる資源ユニットに適用するかを決定する。資源ユニット使用法情報は有利に、コードワードのテーブルとしても良く、コードワードがテーブルに現れる順番は好ましくは、テーブル内の各コードワードがどの無線資源ユニットに関係するかを示すことが可能である。テーブルのコードワードを読み取ることと、コードワードの解釈のためのコードブックを調べることとは、無線資源ユニット２０５の組の使用法に関する情報という結果となる。
【００２９】
例えば、コードブックによって信号送信される制御情報は、セッションに対する変調スキームとチャネル符号化パラメータとのような、スケジューリング情報及び／または送信フォーマットに関する情報としても良い。コードブックと資源ユニット使用法情報とは、セル内のいくつかの移動局１０５に関係する制御情報を有利に含むことが可能であり、セル内の全部の移動局１０５が聴取する制御チャネル上で無線基地局１１０から送信されることが可能である。ゆえに、制御情報の信号送信に使用される資源ユニット２０５は、移動局１０５毎に資源ユニット２０５を使用するよりもむしろ、セル内のいくつかの移動局１０５に関係する制御情報を運ぶことができる。この方法において、セル内における制御情報の信号送信に使用される資源ユニット２０５の数は減少可能である。セル内の全部の移動局が聴取する制御チャネル上でメッセージが送信されるとき、（コードブックが再作成されることが可能である）コードブック情報及び／または資源ユニット使用法情報を運ぶメッセージは、メッセージの行き先の受信機の識別を１つも含む必要はないであろう。
【００３０】
上で説明されるように、もしスケジューリングと送信フォーマットとの変更の信号送信が変更の利得よりも重いだけなのであれば、動的なスケジューリングと速い適合とを可能にすることは有利である。ゆえに、コードブックが動的になることを可能とすることは、セル内の無線資源の活用の効率を増加させるであろう。コードブックの新しいバージョンは、毎タイムフレームまたはより遅いレートで作成されることが可能である。無線基地局１１０と移動局１０５との両方はコードブックの同じバージョンをもつことが必要であるから、無線基地局１１０がコードブックを作成するときにコードブックが更新される度毎に、コードブック（またはコードブックが得られることが可能である情報）は、無線基地局１１０から他の移動局１０５に信号送信されなければならないであろう。コードブック作成の責務が移動局１０５にあるとき、コードブックは移動局１０５から無線基地局１１０へ同様に信号送信されなければならないであろう。
【００３１】
コードワードのランレングスに関する情報、すなわちコードワードがいくつの無線資源ユニット２０５を適用するかに関する情報を、コードブック及び／または資源ユニット使用法情報は好ましくは含む。例えば時間と周波数、または時間と符号のような、資源ユニット２０５を決定するために使用される各領域に対して、ランレングスは決定されることが可能である。いくつかの資源ユニット２０５に対し同じコードワードを使用することと、コードワードに関係するランレングス情報を提供することとによって、制御情報またはコードワードを数回送信することよりもむしろ、信号送信負荷は大きく減らされることが可能である。ランレングス情報は、コードブックまたは資源ユニット使用法情報に含まれることができる。さらに、ランレングス情報のある部分はコードブックに含まれることが可能であり、別の部分は資源ユニット使用法情報に含まれることができる。例えば、資源ユニット２０５が時間領域と周波数領域とで決定されるシステム１００においては、時間ランレングス情報はコードブックに含まれることが可能であり、周波数ランレングスは資源ユニット使用法情報に含まれることが可能である。
【００３２】
コードブックと資源ユニット使用法情報とを生成する方法が、図３に示される。ステップ３００において、Ｎ個の異なる資源ユニット２０５の使用法が決定され、Ｎ個の異なる資源ユニット２０５に適用する制御情報が識別される。Ｎ個の異なる資源ユニット２０５は、同じタイムフレーム２００または異なるタイムフレーム２００の部分であっても良い。例えば、制御情報は、資源ユニット２０５が割り当てられているセッションに関する情報を含むことができる。
【００３３】
ステップ３０５において、カウンタｋが１に設定される。ステップ３１０において、資源ユニットｋがＮ個の資源ユニット２０５から選出される。ステップ３１５において、資源ユニットｋに関係する制御情報が識別され、その制御情報は、ステップ３１０において前に選択されていた資源ユニット２０５に関係する制御情報と比較される。もし前に選出された資源ユニット２０５のいずれかの制御情報が、資源ユニットｋの制御情報と同じであるならば、ステップ３２０が開始され、コードワードが資源ユニットｋに割り当てられ、このコードワードは、同じ制御情報が適用する資源ユニット２０５に割り当てられているコードワードと同じコードワードである。その後ステップ３３０が開始される。もし前に選択された資源ユニット２０５の制御情報が１つも資源ユニットｋと関係しないならば、従ってステップ３２５が開始され、前にどの資源ユニット２０５にも割り当てられていないコードワードが、資源ユニットｋに割り当てられる。その後ステップ３２７が開始され、資源ユニットｋに関係する制御情報はまた、ステップ３２５において資源ユニットｋに割り当てられたコードワードと関連する。ゆえに、ステップ３２０と３２５とにおいて、資源ユニットｋにおける制御情報要求に従って、コードワードが資源ユニットｋに割り当てられる。
【００３４】
ステップ３３０において、カウンタは１増やされ、ステップ３３５において、カウンタがＮより大きいかどうか調べられる。もしそうでなければ、ステップ３１０が再開され、次の資源ユニット２０５が選択される。全部のＮ個の資源ユニット２０５が選択されてしまったとき、ステップ３４０が開始され、ステップ３２５において割り当てられている全部の異なるコードワードと、コードワードに関連づけられた制御情報とをコードブックに入れることによって、コードブックが作成される。ステップ３４５においては、特定の資源ユニット２０５の使用法が得られるように、ステップ３２０と３２５とにおいて資源ユニット２０５に割り当てられたコードワードを含む資源ユニット使用法情報が作成される。資源ユニット使用法情報内のコードワードの出現の順番に、コードワードが適用する資源ユニット２０５を示させることによって、このことは有利に達成されることが可能である。代替的に、コードワードが適用する資源ユニット２０５のアイデンティティは、資源使用法情報に含まれることができる。同じコードワードがいくつかの資源ユニット２０５に適用するとき、ステップ３４０及び／または３４５は、コードブック及び／または資源ユニット使用法情報にランレングス情報を含むことを、好ましくは含むことが可能であるため、資源ユニット使用法情報内のコードワードの数はＮより小さくなれる。
【００３５】
コードブックと資源ユニット使用法情報とを作成する方法は多くの方法で変更可能である。特に、資源ユニット２０５の割り当てられる使用法のどんな知識もなしで、コードブックは作成されることが可能であり、ステップ３４０はステップ３００より先に行われ手も良い。この場合、資源ユニット２０５の制御情報要求に従ってコードブックからのコードワードをＮ個の資源ユニット２０５の各々に割り当てることに、ステップ３０５〜３３５は置き代えられることが可能である。
【００３６】
コードブック４００と資源ユニット使用法情報４０５との例が図４に示される。Ｔｕｎｉｔ＝Ｔｆｒａｍｅである、異なる周波数の１２個の資源ユニット２０５からタイムフレーム２００がなる資源ユニットフォーマットに、図４の例は適用する。図４ａのコードブック４００ｉは７個の異なるコードワードフィールド４１０を含み、その各々は特有のコードワードを記憶し、ランレングスフィールドの組４１７と同様に、セッションアイデンティティフィールド４１２と送信フォーマット情報フィールドの組４１５と関連する（この例の組４１５は送信フォーマット情報フィールドを１つだけ含む）。コードブックフィールド４１０内のコードワードが適用する資源ユニット２０５が割り当てられているセッションに関する情報を、セッションアイデンティティフィールド４１２は含む。コードワードが適用する資源ユニット２０５で使用されるであろう変調フォーマットに関する情報を、図４ａの送信フォーマット情報フィールドの組４１５は含む。コードワードフィールド４１０内のコードワードの時間ランレングスと周波数ランレングスとに関する情報を、コードブック４００ｉのランレングスフィールドの組４１７は含む。時間領域では、時間ランレングスがコードワードフィールド４１０に記憶されるコードワードの継続期間を決定し、一方周波数領域では、周波数ランレングスが同じコードワードの継続期間を決定する。例えば、図４のコードワード「００１」は、関連する時間ランレングス４と関連する周波数ランレングス２とをもつ。関連するセッションアイデンティティは「Ｌｉｓａ」であり、関連する変調フォーマットは「ＱＰＳＫ」である。ゆえに、資源ユニット使用法情報４０５ｉ内でのコードワード「００１」の参照は、変調フォーマットＱＰＳＫを使用し３つの連続するタイムフレーム２００に対するセッション「Ｌｉｓａ」への、タイムフレーム２００の２つの連続する無線資源ユニット２０５の割り当てという結果になるであろう。コードブック４００ｉを参照するコードワードを含む多くのコードワードフィールド４０７を含む資源ユニット使用法情報４０５ｉがまた、図４ａに示される。資源ユニット使用法情報４０５ｉとコードブック４００ｉとの組み合わせからの結果である、第１のタイムフレーム２００ｉにおける無線資源ユニット２０５の使用法を示すテーブル４２０ｉがまた、図４ａに示される。
【００３７】
コードブック４００ｉの時間ランレングスのいくつかの値は１より大きいから、資源ユニット２０５の使用法を決定するための、資源ユニット使用法情報４０５ｉとコードブック４００ｉとの組み合わせはまた、後に続く２つのタイムフレーム２００の部分である資源ユニット２０５の割り当てという結果になる。テーブル４２０ｉは、タイムフレーム２００ｉの部分である資源ユニット２０５の使用法を示すのみであるから、このことは図４ａのテーブル４２０ｉに示されていない。しかし、図４ｂにおいては、次のタイムフレーム２００ｉｉの無線資源ユニット２０５の使用法が示される。
【００３８】
図４ｂは、次のタイムフレーム２００ｉｉに適用可能な第２のコードブック４００ｉｉを示す。コードブック４００ｉと４００ｉｉとは、同じコードブック４００の２つの異なるインスタンスとして見なされることが可能である。次のタイムフレーム２００ｉｉの無線資源ユニット２０５の結果の使用法を示すテーブル４２０ｉと同様に、対応する資源ユニット使用法情報４０５ｉｉがまた示される。図４ａに示されるように、タイムフレーム２００ｉｉの８個の第１の無線資源ユニット２０５は、コードブック４００ｉと資源ユニット使用法情報４０５ｉとの組み合わせによってすでに割り当てられている。コードブック４００ｉｉと資源ユニット使用法情報４０５ｉｉとのユーザ（例えば移動端末１０５）にこれを示すために、セッションアイデンティティが１つも関連づけられていない８の周波数ランレングスを表すコードワード「００」は、コードブック４００ｉｉに含まれ、資源ユニット使用法情報４０５ｉｉの第１のエントリーで参照される。ゆえに、タイムフレーム２００ｉｉの８個の第１の資源ユニット２０５ｉが新しいセッションに割り当てられないことを、コードブック４００ｉｉと資源ユニット使用法情報４０５ｉｉとの組み合わせは明らかにする。
【００３９】
図４ｂに示されるように、コードブックインスタンス４００ｉｉはコードブックインスタンス４００ｉより少ないコードワードを含み、ゆえにコードブックインスタンス４００ｉｉのコードワードはより少ないビットによって表されることが可能である。コードブック４００のコードワードを表すのに使用されるビットの数がインスタンス間で変化することを可能にするとき、無線リンク１１５への信号送信負荷は軽減されることが可能となる。しかし、コードブック４００のコードワードは代替的に、コードブック４００の全部のインスタンス内のビットの固定数によって表されても良い。
【００４０】
セッションアイデンティティフィールド４１２内のセッションアイデンティティに関する情報は、いくつかの場合において１つより多くのセッションを参照できる。ダウンリンクスケジューリングにおいては、これは、例えばマルチキャストまたはブロードキャストチャネルに適用可能であり、そのようなチャネルにおいては、異なるセッションで送信されるためのデータが同じであり、ゆえに送信の要求は同様であることが可能である。アップリンクスケジューリングにおいては、単一のセッションアイデンティティの使用による１つより多いセッションの識別が競合ベースのチャネルを認識するために使用されることが可能であり、そのようなチャネルにおいては、例えばＡＬＯＨＡベースの送信の場合のように、いくつかのユーザが同じアップリンク資源ユニット２０５を争う。
【００４１】
図４で与えられる例においては、送信フォーマット情報フィールドの組４１５は、変調フォーマットに関する情報を含む。復調パイロットパターン、線形分散符号、輸送ブロックのサイズ、符号ビットの数、冗長バージョン、仮想アンテナの数等のような、セッションの送信フォーマットに関係するどんな情報でも、送信フォーマット情報フィールドの組４１５は含むことができる。
【００４２】
この発明は、ＳＩＳＯ（Ｓｉｎｇｌｅ  Ｉｎｐｕｔ  Ｓｉｎｇｅ  Ｏｕｔｐｕｔ：単入力単出力）システムとＭＩＭＯ（Ｍｕｌｔｉｐｌｅ  Ｉｎｐｕｔ  Ｍｕｌｔｉｐｌｅ  Ｏｕｔｐｕｔ：複数入力複数出力）システムとの両方に適用可能である。同じ資源ユニット２０５の使用によって第１のノードの異なるアンテナが異なる情報を第２のノードに送信するＭＩＭＯシステムにおいては、異なるアンテナが資源ユニット２０５の異なるレイヤ上で送信すると言われる。異なるコードブック４００と資源ユニット使用法情報４０５とは、異なるレイヤに使用可能である、または各レイヤは同じコードブック４００と資源ユニット使用情報４０５とを適用可能である。
【００４３】
単純な形において、多くの（少なくとも１つの）コードワードフィールド４１０と、コードワードが関係する無線資源ユニット２０５が割り当てられるであろうセッションに関する情報を含み、符号フィールド４１０と関連するセッションアイデンティティフィールド４１２とを、コードブック４００は含み、送信フォーマットフィールド４１５を１つも含まないであろう。なお別の実施形態において、コードブック４００はセッションアイデンティティフィールド４１２を１つもを含まず、コードワードフィールド４１０と、関連する送信フォーマットフィールド４１５とを単に含む。これは例えば、コードブック４００が移動局１０５から無線基地局１１０へ信号送信され、移動局１０５のアイデンティティはすでに無線基地局１１０に知られているときの場合である可能性がある。
【００４４】
資源ユニット使用法情報４０５内の全部のコードワードが異なる状況においては、資源ユニット使用法情報４０５ははっきりと信号送信される必要がない。代わりに、資源ユニット使用法情報４０５は、コードブック４００でのコードワードの出現の順序として暗に開示される。
【００４５】
この発明によると、無線基地局１１０と、無線基地局１１０が通信する移動端末１０５とは、同じコードブック４００と同じ資源ユニット使用法情報４０５とへのアクセスをもつであろう。ゆえに、もしコードブック４００と資源ユニット使用法情報４０５とが無線基地局１１０（またはシステム１００内の別のノード）によって作成されるならば、コードブック４００と資源ユニット使用法情報４０５とが再作成されることが可能である情報は、関係する移動端末１０５へ信号送信されるであろうし、逆もまたしかりである。コードブック４００が再作成されることが可能である情報は、以下でコードブック情報と呼ばれる。コードブック情報と資源ユニット使用法情報とは、信号送信専用である１つまたはそれ以上の無線資源ユニット２０５を介して好ましくは信号送信され、コードブック情報と資源ユニット使用法情報とは１つまたはそれ以上のメッセージ内で送信されることが可能である。コードブック情報と資源ユニット使用法情報とは、同じメッセージ内で、または同じ送信プロトコルによって送信される異なるメッセージ内で、または異なる送信プロトコルによって送信される異なるメッセージ内で送信されることが可能である。
【００４６】
いくつかの場合において、コードブック４００は、資源ユニット使用法情報４０５より長い時間有効であることが可能である。このような場合においては、資源ユニット使用法情報の新しいインスタンスはコードブック情報より頻繁に送信されることが可能である。この発明の１つの実施形態においては、資源ユニット使用法情報が送信される規定の時間間隔よりも大きい規定の時間間隔で、コードブック情報の新しいインスタンスが送信される。この発明の別の実施形態においては、コードブック情報に１つも伴われない資源ユニット使用法情報の受信機は、最後に受信されるコードブック情報がまだ有効であると見なすであろう。
【００４７】
他の場合においては、前に送信されるコードブック４００は部分的に再使用されても良く、そのためコードブック４００の新しいインスタンスの部分のみ送信されなければならない。コードブック４００の新しいインスタンスを送信するメッセージは従って、まだ関係するコードブック４００の以前のインスタンスの部分の参照を含むことができる。
【００４８】
コードブック４００の信号送信は異なる方法で行われても良い。この発明の１つの実施形態においては、コードブック４００は全部送信されるため、コードブック情報は、送信されるためのコードブック４００に全部の情報を含む。この発明の別の実施形態においては、コードブック情報のいくつかの部分は静的であり、ゆえにコードブック４００の異なるインスタンス間で変わらないであろう。コードブック４００の新しいインスタンスが信号送信される度に、コードブック４００のこれらの静的部分はコードブック情報に含まれる必要がないであろう。同様に、資源ユニット使用法情報のいくつかの部分は静的であることが可能であるため（または準静的であることが可能であるため、それらは、新しい資源ユニット使用法情報のインスタンスが送信されるレートより遅いレートで変わる）、資源ユニット使用法情報４０５が更新される度に、これらの静的または準静的な部分は送信される必要がないであろう。例えば、資源ユニット使用法情報のこのような静的または準静的な部分は、資源ユニット使用法情報内のコードワードを資源ユニット２０５にどのようにリンクするかに関係することが可能である。
【００４９】
この発明の１つの実施形態において、送信フォーマット情報フィールドの組４１５の異なる値は、無線基地局１１０内（またはシステム１１０のネットワーク側の別のノード内）のストレージと、同様に移動局１０５内のストレージとに記憶される。これらのストレージにおいては、送信フォーマット情報フィールドの組４１５の各値は、以下でフォーマット識別子と呼ぶことにする識別子と関連する。図５ａにおいて、送信フォーマットファミリーの組５００の例が、組５００内の送信フォーマットファミリー５０５を示すテーブルによって示される。送信情報フィールドの組４１５の２つの異なる値を含む第１の送信フォーマットファミリー５０５ａと、送信フォーマット情報フィールドの組４１５の３つの異なる値を含む第２の送信フォーマットファミリー５０５ｂとを、図５ａの送信フォーマットファミリー組の５００は含む。ファミリー５０５ａと５０５ｂとの内の送信フォーマット情報フィールドの組４１５の各値は、その値を識別するフォーマット識別子に関する情報を含むフォーマット識別子フィールド５１５と関連する。さらに、２つの送信フォーマットファミリー５０５ａと５０５ｂとの各々は、フォーマットファミリーを識別するファミリー識別子フィールド５１０を含む。送信フォーマットファミリーの組５００は送信フォーマットファミリー５０５を何個でも、たった１つでも、含むことが可能であり、送信フォーマットファミリー５０５は送信フォーマット情報フィールドの組４１５の値を何個でも含むことが可能である。
【００５０】
この実施形態において、送信フォーマット情報フィールドの組４１５の値を参照するときは、送信フォーマット情報フィールドの組４１５の値を送信するよりもむしろ、フォーマット識別子フィールド５１５の値が基地局１１０から移動端末１０５へ送信されることが可能であり、あるいは逆もまたしかりである。ゆえに、フォーマット識別子５１５の値が送信情報の組４１５の値より少ないビットによって表されるとき、システム１００における信号送信負荷は軽減される。
【００５１】
この実施形態の１つの側面において、コードブック情報が送信されるメッセージ内で、同じセッションに割り当てられる送信フォーマット情報フィールド４１５の組４１５の値をグループ化するによって、信号送信負荷はさらにもっと軽減されることが可能である。セッション識別子はしばしば多くのビットによって表されるから、コードブック情報送信毎に１度だけセッション識別子を送信することによって、信号送信負荷は軽減されることが可能となる。図５ｂにおいて、図５ａの例のこの側面で使用されることが可能であるコードブック情報のインスタンスが示されるテーブル５２０が示される。コードブック情報のインスタンスによってスケジュールされているセッションの数に関する情報を含むセッション数フィールド５３０と、これらのセッションの各々に対して、スケジュールされているセッションのアイデンティティに関する情報を含むセッションアイデンティティフィールド５３５と、このセッションによって使用されるであろう送信フォーマットファミリー５０５のファミリー識別子５１０を表す情報を含む送信フォーマットファミリーフィールド５４０と、送信フォーマットファミリー５０５内の組４１５の各値に対しては、セッションアイデンティティフィールド５３５内で識別されるセッションによってこの特定の値が使用されているかどうかに関する情報を含むフォーマット使用法情報フィールド５４５とを、図５ｂのコードブック情報は含む。フォーマットファミリーの組５００がたった１つのフォーマットファミリー５０５を含むこの実施形態の実施形態において、送信フォーマットファミリーフィールド５４０は省かれても良い。
【００５２】
図５ａの送信フォーマットファミリー５０５と連携する図５ｂのテーブル５２０のコードブック情報によって獲得されるコードブック４００を、図５ｃは示す。図５ｃのコードブック４００は５つの異なるコードワードを含み、その各々はセッションアイデンティティフィールド４１２と送信フォーマット情報フィールドの組４１５とに関連し、コードブック４００の送信フォーマット情報フィールドの各組４１５は、送信フォーマットファミリーの組５００を記憶するストレージから引き出されている。組４１２と組４１５との組み合わせに割り当てられるコードワードは、コードブック情報から暗に引き出される：図５ｂと５ｃとで与えられる例において、コードブック情報５２０におけるセッション識別子とフォーマット識別子との出現の順序は、コードワードを決定するために使用される。
【００５３】
図５ｃのコードブック４００は、ランレングスフィールド４１７の組を１つも含まない。図５ｄにおいて示されるように、ランレングス情報は、コードブック４００と関連する資源使用法情報４０５に含まれることが可能である。代替的に、図５ｃのコードブック４００はこのような情報を含むことが可能である（図４参照）。
【００５４】
図５ｄにおいて、資源ユニット使用法情報４０５の例のインスタンスが示される。資源ユニット使用法情報４０５は多くのコードワードフィールド４０７を含み、その各々は、図５ｃのコードブック４００内のコードワードへの参照を含む。コードワードフィールド４０７内のコードワードが、連続する資源ユニット２０５のいくつにタイムフレーム２００において適用するかを示す周波数ランレングス情報を含むランレングスフィールド５５０の組５５０を、図５ｄの資源ユニット使用法情報４０５はさらに含む。図５ｂで与えられる例において、各コードワードが適用する資源ユニット２０５の数は２に設定される。それぞれ図５ｄと５ｃとの資源ユニット使用法情報４０５とコードブック４００との組み合わせからの結果である、タイムフレーム２００における無線資源ユニット２０５の使用法を示すテーブル４２０がまた、図５ｄにおいて示される。
【００５５】
図５ｄのランレングスフィールドの組５５０は周波数ランレングスフィールドを含むのみである。しかし、時間ランレングスフィールドも同様に、または代替的に、含まれることが可能である。さらに、各コードワードフィールド４０７はランレングスフィールド５５０の組と関連できるため、ランレングス情報は全部のコードワード間で変化できる。
【００５６】
資源ユニットの周波数ランレングスと時間ランレングスとが時間とともに変化しない状況においては、コードブック４００内でも、資源ユニット使用法情報４０５内でも、ランレングスフィールド５５０と時間ランレングスフィールドとは１つも必要でない。
【００５７】
上で与えられる例において、単一のコードワードの使用によるいくつかの資源ユニット２０５の割り当ては連続的な仕方で行われた。単一の資源ユニット２０５によって占有される時間と周波数との範囲にわたってチャネル品質はあまり頻繁に著しく変化しないから、資源ユニットのこの連続的な割り当てはしばしば適切である。しかし、割り当てのより大きな柔軟性が要望されるときがあり得る。
【００５８】
資源の割り当ての更新を行うときに資源ユニット使用法情報４０５の１つより多い組を使用することによって、異なるセッションへの資源ユニット２０５の割り当ての柔軟性は増大されることが可能である。両方ともコードブック４００に関連する資源ユニット使用法情報４０５ａの第１の組と、資源ユニット使用法情報４０５ｂの第２の組とともに、コードブック４００が示される図６において、このことは示される。タイムフレーム２００における無線資源ユニット２０５の使用法を示すテーブル４２０は、コードブック４００を最初に資源ユニット使用法情報４０５ａの第１の組と組み合わせ、その後資源ユニット使用法情報４０５ｂの第２の組と組み合わせることからの結果である。資源ユニット使用法情報４０５の組における異なるコードワードの出現の順序に従って、資源ユニットの割り当ては連続して行われるが、第２の資源ユニット使用法情報４０５ｂを使用するときは、まだセッションに割り当てられていない資源ユニット２０５のみが考慮される。テーブル４２０の列６００によって示されるように、タイムフレーム２００における資源ユニット２０５が各資源ユニット使用法情報４０５に対して再インデックスされる（ｒｅ−ｉｎｄｅｘｅｄ）かのように、これは見なされることが可能であり、新しいインデックシング（ｉｎｄｅｘｉｎｇ）は、セッションにすでに割り当てられている資源ユニット２０５を含まない。１つより多い資源ユニット使用法情報４０５の使用は、同じコードワードの使用による同じセッションへの非連続的な資源ユニット２０５の割り当てを容易にする。
【００５９】
例えば、チャネル品質インジケータが信頼できないまたは欠損するとき、同じコードワードの使用による同じセッションへの非連続的な資源ユニット２０５の割り当ては、多様性を達成するために望ましい場合がある。このような場合においては、資源ユニットのグループ内の各第ｎの資源ユニット２０５が同じセッションに割り当てられる周期的な割り当てが適している。周波数ランレングス及び／または時間ランレングス内の各第ｎの資源ユニットが、関連するコードワードが適用するセッションに割り当てられることを示す周波数及び／または時間期間インジケータｎを、資源ユニットの周期的な割り当てを単純化するために、ランレングスフィールドの組４１７は含むことができる。単一のコードワードの使用によるセッションへの周期的な割り当ての代替的な実施形態において、周波数及び／または時間ランレングスフィールドのある値が、ある周期的な割り当てパターンを表すためにあらかじめ決定される。周波数または時間ランレングスフィールドのあらかじめ決定される値はそれぞれ、周波数または時間領域における、資源ユニット２０５のあらかじめ決定される非周期的な割り当てをさらに表すことが可能である。受信ノードは、割り当てられた資源ユニット２０５間の中のその受信機をオフにスイッチできる。
【００６０】
この発明の１つの側面において、根本的なコードワード（ｕｎｄｅｒｌｙｉｎｇ  ｃｏｄｅ  ｗｏｒｄｓ）を参照して、スーパーコードワード（ｓｕｐｅｒ  ｃｏｄｅ  ｗｏｒｄ）が決定されることが可能である。例えば、スーパーコードワード「０１１」は、コードワード００１と０１０とのＬ回繰り返される連結を表す。資源ユニット使用法情報４０５におけるスーパーコードワード「０１１」の発生は従って、コードワード「００１」と「０１０」がＬ回繰り返されるという結果を生むであろう。
【００６１】
この発明の別の側面において、もしコードワードに従った無線資源の割り当てが、タイムフレーム２００における全部の資源ユニット２０５の割り当てという結果にならないならば、資源ユニット使用法情報４０５のコードワードフィールド４０７内のコードワードは繰り返される。コードワードフィールド４０７内のコードワードは繰り返されること、またはコードワードの繰り返しはデフォルトで実行可能であることを示すために、フラグが使用可能である。コードワードのその繰り返しは信号送信の大きな減少という結果を生むことが可能である。
【００６２】
この発明によると、無線基地局１１０及び／または移動端末１０５によって行われる無線リンク品質測定にとりわけ基づいて、コードブック４００と資源ユニット使用法情報４０５とを生成するための生成装置を、システム１００は含む。生成装置は好ましくは、システム１００の無線基地局１１０で実施されるが、基地局制御装置または同様のノードまたはシステム１００のどこか他の場所において、代替的に実施されても良い。無線基地局１１０は、コードブック情報と資源ユニット使用法情報４０５とを移動局１０５に送信するための送信手段をさらに含む。セル内の全部の移動局１０５が同時に聴取できる制御チャネル上でコードブック情報と資源ユニット使用法情報とを送信することに、その送信手段は好ましくは適合される。生成装置はまた移動局１０５において実施されても良い。生成装置はソフトウェアとして部分的または完全に有利に実施されても良い。図１の無線基地局１１０は、生成装置１２５を含むように示されている。
【００６３】
実用的な目的のために、コードブック４００と資源ユニット使用法情報４０５とのサイズを限定することは有益である場合がある。最大サイズを超えないコードブック４００及び対応する資源ユニット使用法情報４０５を生成する資源の使用法を選択することによって、生成されるコードブック４００と資源ユニット使用法情報４０５とのサイズが最大サイズを超えないことを確かにするよう、生成装置は有利に設計されることが可能である。
【００６４】
同様に、特定のコードブック４００を使用することから獲得される柔軟な資源使用法からの期待利得を評価するよう適合されることは、生成装置にとって有利であるだろう。期待利得の推定は品質測定から獲得されることが可能である。期待利得はそれから、コードブック４００の信号送信によって引き起こされる信号送信負荷の欠点と比較可能であり、そのため、コードブック４００と資源ユニット使用法情報４０５との送信によって引き起こされる増加した信号送信負荷を期待利得が正当化する適切なコードブックフォーマットが選択可能である。
【００６５】
さらに、資源ユニット使用法情報４０５と、コードブック４００、またはコードブック４００が再作成されることが可能であるコードブック情報とを受信しているであろうノードは、生成装置から受信されるコードブック情報と資源ユニット使用法情報４０５とを解釈するための解釈装置を含む。図１の移動端末１０５は解釈装置１３０を含むように示されている。
【００６６】
上から理解できるように、もしコードブック４００とコードブック情報５００とが効率的な方法で生成されるならば、システム１００内で信号送信される必要がある情報は大きく減らされることが可能である。
【００６７】
セッションに割り当てられる資源ユニット２０５の数が動的である直交周波数分割接続（ｏｒｔｈｏｇｏｎａｌ  ｆｒｅｑｕｅｎｃｙ  ｄｉｖｉｓｉｏｎ  ａｃｃｅｓｓ：ＯＦＤＭ）を使用するシステムに、この方法は有利に適用可能である。この発明はまた、符号分割多元接続（Ｃｏｄｅ  Ｄｉｖｉｓｉｏｎ  Ｍｕｌｔｉｐｌｅ  Ａｃｃｅｓｓ：ＣＤＭＡ）システムと同様に、時間分割多元接続（Ｔｉｍｅ  Ｄｉｖｉｓｉｏｎ  Ｍｕｌｔｉｐｌｅ  Ａｃｃｅｓｓ：ＴＤＭＡ）に適用可能である。
【００６８】
以上において、資源ユニット２０５が無線資源ユニットである移動無線通信システム１００について、この発明は記述されてきた。しかし、セッションに割り当てられることが可能である資源ユニット２０５の数が変化できる、及び／またはセッションの送信フォーマットが変化できるどんなシステムにも、この発明はまた適用可能である。このようなシステムの１つの例は、非同期デジタル加入者線（Ａｓｙｎｃｈｒｏｎｏｕｓ  Ｄｉｇｉｔａｌ  Ｓｕｂｓｃｒｉｂｅｒ  Ｌｉｎｅ：ＡＤＳＬ）システムであり、そのシステムにおいては、資源ユニットは有線接続の資源ユニットであり、コードブック情報と資源ユニット使用法情報４０５とは２つのＡＤＳＬモデム間で送信される。
【００６９】
当業者であれば、本発明は、添付図面及び上述の詳細な説明に開示された実施形態に限定されるものではなく、これらの添付図面及び詳細な説明は、本発明を説明する目的のものであり、本発明は様々な方法で実施可能であって、本発明は特許請求の範囲によってのみ限定されるということを、了解するであろう。
【図面の簡単な説明】
【００７０】
【図１】図１は、移動無線通信システムの図式的な説明である。
【図２】図２は、無線リンクのタイムフレームを示し、タイムフレームは周波数領域でいくつかの資源ユニットに分割される。
【図３】図３は、コードブックと資源ユニット使用法情報とを生成するための方法の一例のフローチャートである。
【図４ａ】図４ａは、コードブックと、資源ユニット使用法情報と、そのコードブックとその資源ユニット使用法情報とをタイムフレームに適用することからの結果であるタイムフレーム内の資源ユニットの割り当てとの一例の、第１のインスタンスを示す。
【図４ｂ】図４ｂは、図４ｂのコートブックと資源ユニット使用法テーブルと、そのコードブックと資源ユニットとの第２のインスタンスを適用することによって図４ａのタイムフレームの直後に続くタイムフレーム内の資源ユニットの割り当てとの、第２のインスタンスを示す。
【図５ａ】図５ａは、第１と第２の送信フォーマットファミリーとを含む送信フォーマットファミリーの組の一例を示す。
【図５ｂ】図５ｂは、コードブックを再作成するために、図５ｂの送信フォーマットファミリーの組と併せて使用可能なコードブック情報のインスタンスを示す。
【図５ｃ】図５ｃは、図５ｂのコードブック情報と図５ａの送信フォーマットファミリーの組との使用によって再作成されるコードブックのインスタンスを示す。
【図５ｄ】図５ｂは、資源ユニット使用法情報の適用からの結果であるタイムフレーム内の資源ユニットの割り当てを示すテーブルと同様に、図５ｃのコードブックと関連する資源ユニット使用法情報のインスタンスを示す。
【図６】図６は、資源ユニット使用法情報の第１の組と、同じコードブックと関連する資源ユニットテーブルの第２の組との一例と、資源ユニット使用法情報の組の適用からの結果であるタイムフレーム内の資源ユニットの割り当てを示すテーブルとを示す。
【図１】
2009508453.tif 000003
【図２】
2009508453.tif 000004
【図３】
2009508453.tif 000005
【図４ａ】
2009508453.tif 000006
【図４ｂ】
2009508453.tif 000007
【図５ａ】
2009508453.tif 000008
【図５ｂ】
2009508453.tif 000009
【図５ｃ】
2009508453.tif 000010
【図５ｄ】
2009508453.tif 000011
【図６】
2009508453.tif 000012
【国際調査報告】
2009508453.tif 000013
2009508453.tif 000014
2009508453.tif 000015
2009508453.tif 000016
2009508453.tif 000017
2009508453.tif 000018
2009508453.tif 000019